(57)【要約】【課題】店舗への誘導を良好に行えるようにした店舗構造を提供すること。【解決手段】本発明では、静置した商品を販売する店舗の構造において、店舗の道路に面した側壁に出入口と窓とを並べて配置するとともに、窓の直内側に動物の居所となる動物居所領域を形成し、この動物居所領域の床を商品を陳列するための商品陳列領域の床よりも高く形成するとともに、動物居所領域と商品陳列領域とを窓の上縁よりも低い高さの仕切壁で区画して道路から窓を通して動物と商品とを同時に目視できるように構成することにした。また、前記動物居所領域の床と商品陳列領域の床との間に形成される段差部に動物居所領域の床を加熱又は冷却するための床温度調節装置を収容することにした。さらに、前記床温度調節装置を段差部の窓側に配置することにした。【選択図】図３
2011127351.tif 000002
【特許請求の範囲】
【請求項１】
静置した商品を販売する店舗の構造において、
店舗の道路に面した側壁に出入口と窓とを並べて配置するとともに、窓の直内側に動物の居所となる動物居所領域を形成し、この動物居所領域の床を商品を陳列するための商品陳列領域の床よりも高く形成するとともに、動物居所領域と商品陳列領域とを窓の上縁よりも低い高さの仕切壁で区画して道路から窓を通して動物と商品とを同時に目視できるように構成したことを特徴とする店舗構造。
【請求項２】
前記動物居所領域の床と商品陳列領域の床との間に形成される段差部に動物居所領域の床を加熱又は冷却するための床温度調節装置を収容したことを特徴とする請求項１に記載の店舗構造。
【請求項３】
前記床温度調節装置を段差部の窓側に配置したことを特徴とする請求項２に記載の店舗構造。
【発明の詳細な説明】
【技術分野】
【０００１】
本発明は、店舗構造に関するものである。
【背景技術】
【０００２】
従来より、動物のように動く商品ではなく被服や飲食物などのようにそれ自体では動くことのない静置した商品を販売する店舗では、道路に面した側壁に出入口を形成するとともに、出入口の隣にショウウインドウを形成し、そのショウウインドウに取扱商品を展示するような構造のものが多く見られる。
【０００３】
そして、従来の店舗においては、ショウウインドウに展示した商品によって道路を行き交う人々の興味を引き付け、店舗に誘導するようにしていた。
【０００４】
そのため、従来の店舗では、ショウウインドウに展示する商品を頻繁に交換して、人々を飽きさせずに興味を引き付けられるように努力していた。
【先行技術文献】
【特許文献】
【０００５】
【特許文献１】特開平９−４２５４号公報
【発明の概要】
【発明が解決しようとする課題】
【０００６】
ところが、上記従来の店舗では、ショウウインドウに展示する商品を頻繁に交換しなければ、人々に飽きられてしまって興味を引き付けることができず、店舗に誘導することができないものであった。
【０００７】
そのため、上記従来の店舗では、ショウウインドウに展示する商品の交換に多大な労力や時間を要していた。
【課題を解決するための手段】
【０００８】
そこで、請求項１に係る本発明では、静置した商品を販売する店舗の構造において、店舗の道路に面した側壁に出入口と窓とを並べて配置するとともに、窓の直内側に動物の居所となる動物居所領域を形成し、この動物居所領域の床を商品を陳列するための商品陳列領域の床よりも高く形成するとともに、動物居所領域と商品陳列領域とを窓の上縁よりも低い高さの仕切壁で区画して道路から窓を通して動物と商品とを同時に目視できるように構成することにした。
【０００９】
また、請求項２に係る本発明では、前記請求項１に係る本発明において、前記動物居所領域の床と商品陳列領域の床との間に形成される段差部に動物居所領域の床を加熱又は冷却するための床温度調節装置を収容することにした。
【００１０】
また、請求項３に係る本発明では、前記請求項２に係る本発明において、前記床温度調節装置を段差部の窓側に配置することにした。
【発明の効果】
【００１１】
そして、本発明では、以下に記載する効果を奏する。
【００１２】
すなわち、本発明では、静置した商品を販売する店舗の構造において、店舗の道路に面した側壁に出入口と窓とを並べて配置するとともに、窓の直内側に動物の居所となる動物居所領域を形成し、この動物居所領域の床を商品を陳列するための商品陳列領域の床よりも高く形成するとともに、動物居所領域と商品陳列領域とを窓の上縁よりも低い高さの仕切壁で区画して道路から窓を通して動物と商品とを同時に目視できるように構成しているために、店舗の内部の動物居所領域に居る動物を道路を行き交う人々に窓を介して見せることができ、人々の興味を引き付けて店舗に誘導することができる。
【００１３】
また、動物であるために、動物自身の動きや表情が常に変化しており、人々を飽きさせることがなく、従来のような展示する商品の交換作業をなくすことができる。
【００１４】
また、愛玩動物とともに来店した顧客が愛玩動物を一時的に動物居所領域に預けておくこともできるので、愛玩動物を伴う顧客を店舗に誘導することもできる。
【００１５】
特に、動物居所領域の床と商品陳列領域の床との間に形成される段差部に動物居所領域の床を加熱又は冷却するための床温度調節装置を収容した場合には、動物居所領域と商品陳列領域との間の段差部を有効に利用することができる。
【００１６】
また、床温度調節装置を段差部の窓側に配置した場合には、動物を窓側に居させることができ、道路を行き交う人々の興味をより一層引き付け易くなり、店舗への誘導効果を向上させることができる。
【図面の簡単な説明】
【００１７】
【図１】店舗を示す正面図。
【図２】同平面断面図。
【図３】同側面断面図。
【発明を実施するための形態】
【００１８】
以下に、本発明に係る店舗構造の具体的な構成について図面を参照しながら説明する。なお、本発明に係る店舗構造は、動物のように動く商品ではなく被服や飲食物などのようにそれ自体では動くことのない静置した商品を販売する店舗の構造に関するものである。
【００１９】
図１〜図３に示すように、店舗１は、前後側壁2,3と左右側壁4,5と床６と天井７とで矩形箱型状に形成している。
【００２０】
この店舗１は、道路に面する前側壁２に出入口８を開閉可能に形成するとともに、出入口８の直ぐ右側に床６の近傍から天井７の近傍までの縦長矩形状の窓９を透視可能に形成している。
【００２１】
そして、店舗１は、窓９の直ぐ内側に動物10の居所となる動物居所領域11を平面視で矩形状に形成するとともに、それ以外の領域に商品陳列棚12などを配置して商品を陳列するための商品陳列領域13を形成している。
【００２２】
また、店舗１は、動物居所領域11の床6aを商品陳列領域13の床6bよりも高くし、動物居所領域11の床6aと商品陳列領域13の床6bとの間に段差部14を形成している。
【００２３】
そして、店舗１では、動物居所領域11と商品陳列領域13との間に形成した段差部14の内側であって前側（窓９側）に床6aを加熱又は冷却するための床温度調節装置15を収容して、動物居所領域11の床6aの前側（窓９側）だけを適温に加熱又は冷却できるようにしている。
【００２４】
また、店舗１は、動物居所領域11と商品陳列領域13との間に平面視Ｌ字状の仕切壁16を形成して動物居所領域11と商品陳列領域13とを区画している。
【００２５】
そして、店舗１では、動物居所領域11と商品陳列領域13とを区画する仕切壁16の高さを窓９の上縁の高さよりも低く（ここでは、窓９の中央よりも低く）し、道路から窓９を通して動物居所領域11に居る動物と商品陳列領域13に陳列した商品とを同時に目視できるようにしている。なお、店舗１は、仕切壁16に開閉扉17を形成し、動物10の出入りができるようにしている。
【００２６】
また、店舗１では、動物居所領域11の直上方の天井７の前側（窓９側）に動物居所領域11を照射する照明装置18を設置している。
【００２７】
そして、店舗１では、照明装置18によって動物居所領域11の前側（窓９側）だけを明るくできるようにしている。
【００２８】
さらに、店舗１では、動物居所領域11の前側壁２の上部に換気装置19を設置する一方、商品陳列領域13の後側壁３の上部に冷暖房装置20を換気装置19と対向させて配置している。
【００２９】
そして、店舗１では、冷暖房装置20から換気装置19に向けて冷気又は暖気を送風することで、店舗１の内部に商品陳列領域13から動物居所領域11へと向かい換気装置19から外部に排出される空気の流れを形成することができ、これにより、動物居所領域11で発生する動物10の臭気を商品陳列領域13へと流れ込ませずに外部に排出するようにしている。
【００３０】
以上に説明したように、上記店舗１は、道路に面した前側壁２に出入口８と窓９とを左右に並べて近接した位置に配置するとともに、窓９の直内側に動物10の居所となる動物居所領域11を形成し、この動物居所領域11の床6aを商品を陳列するための商品陳列領域13の床6bよりも高く形成するとともに、動物居所領域11と商品陳列領域13とを窓9の上縁よりも低い高さの仕切壁16で区画して道路から窓９を通して動物10と商品とを同時に目視できるように構成している。
【００３１】
そのため、上記構成の店舗１では、店舗１の内部の動物居所領域11に居る動物10を道路を行き交う人々に窓９を介して見せることができ、人々の興味を引き付けて店舗１に誘導することができる。特に、動物10であるために、動物自身の動きや表情が常に変化しており、人々を飽きさせることがなく、従来のような展示する商品の交換作業をなくすことができる。また、愛玩動物とともに来店した顧客が愛玩動物を一時的に動物居所領域11に預けておくこともできるので、愛玩動物を伴う顧客を店舗１に誘導することもできる。
【００３２】
また、上記店舗１では、動物居所領域11と商品陳列領域13との間に形成される段差部14に動物居所領域11の床6aを加熱又は冷却するための床温度調節装置15を収容している。
【００３３】
そのため、上記店舗１では、動物居所領域11と商品陳列領域13との間の段差部14を有効に利用することができる。
【００３４】
また、上記店舗１では、床温度調節装置15を段差部14の窓９側に配置している。
【００３５】
そのため、上記店舗１では、動物10を窓９側に居させることができ、道路を行き交う人々の興味をより一層引き付け易くなり、店舗１への誘導効果を向上させることができる。なお、床温度調節装置15の直上方位置に照明装置18を配置しているために、夜間でも窓９側に居る動物10を道路から見せることができるとともに、照明装置18で光を照射することで動物居所領域11の床6aが加熱されても床温度調節装置15で適温に調節することができる。
【符号の説明】
【００３６】
１  店舗                              2,3  前後側壁
4,5  左右側壁                         6,6a,6b  床
７  天井                              ８  出入口
９  窓                                10  動物
11  動物居所領域                      12  商品陳列棚
13  商品陳列領域                      14  段差部
15  床温度調節装置                    16  仕切壁
17  開閉扉                            18  照明装置
19  換気装置                          20  冷暖房装置
【図１】
2011127351.tif 000003
【図２】
2011127351.tif 000004
【図３】
2011127351.tif 000005